(57)【要約】【課題】  同一内容のアナログ放送とディジタル放送が共存するＩＢＯＣ方式の放送波を受信する受信機の回路規模を削減する。【解決手段】  アナログ復調部１８においてモノラル信号のみを再生させることにより回路規模を削減する。ディジタル放送からアナログ放送への切り替えの際の違和感をなくすため、ブレンド処理部２１において、切り替えの際には滑らかに変化する混合比で両者を混合する。【選択図】      図１
2006115200.tif 000002
【特許請求の範囲】
【請求項１】
１つの放送帯域内にアナログステレオ放送と該アナログ放送と同一内容のディジタルステレオ放送とを含む放送波を受信するための受信機であって、
受信したディジタルステレオ放送からステレオ信号を復調するディジタル放送復調部と、
受信したアナログステレオ放送からモノラル信号を復調するアナログ放送復調部と、
該ディジタル放送復調部が復調したステレオ信号および該アナログ放送復調部が復調したモノラル信号のいずれか一方を受信状態に応じて選択する選択部とを具備する受信機。
【請求項２】
前記選択部は、前記選択の切り替えの過程で滑らかに変化する混合比で前記ディジタル放送復調部が復調したステレオ信号および前記アナログ放送復調部が復調したモノラル信号を混合する請求項１記載の受信機。
【請求項３】
前記選択部は、選択の切り替えの過程で、前記アナログ放送復調部が復調したモノラル信号に代えて、前記ディジタル放送復調部が復調したモノラル信号を混合する請求項２記載の受信機。
【請求項４】
前記アナログステレオ放送および前記ディジタルステレオ放送はそれぞれタイムスタンプを有し、
受信したアナログステレオ放送およびディジタルステレオ放送にそれぞれ含まれるタイムスタンプに基づき、前記ステレオ信号および前記モノラル信号の少なくとも一方を遅延する遅延部をさらに具備する請求項１〜３のいずれか１項記載の受信機。
【請求項５】
前記アナログステレオ放送および前記ディジタルステレオ放送はそれぞれ音量情報を有し、
受信したアナログステレオ放送およびディジタルステレオ放送にそれぞれ含まれる音量情報に基づき、前記ステレオ信号および前記モノラル信号の少なくとも一方の音量を調節する音量調節部をさらに具備する請求項１〜４のいずれか１項記載の受信機。
【発明の詳細な説明】
【技術分野】
【０００１】
本発明は、１つの放送帯域内にアナログステレオ放送とこれと同じ内容のディジタルステレオ放送とを含む放送波を受信するための受信機、特に、ＩＢＯＣ（Ｉｎ−Ｂａｎｄ  Ｏｎ−Ｃｈａｎｎｅｌ）方式の放送を受信するための受信機に関する。
【背景技術】
【０００２】
ＦＭラジオ周波数帯においてデジタルオーディオ放送（Ｄｉｇｉｔａｌ  Ａｕｄｉｏ  Ｂｒｏａｄｃａｓｔｉｎｇ：ＤＡＢ）を提供するために提案されたシステムは、ＣＤ品質並みのオーディオ、データサービスおよび現存するアナログＦＭ送信よりも信頼性の高いサービスエリアを提供するものと期待されている。しかしながら、全デジタルＤＡＢに移行される時点まで、放送会社は、同じ可聴帯域においてアナログおよびデジタル信号を同時に送信できる中間的な解決策を必要としている。そのようなシステムは、例えば、ＩＢＯＣシステムの中で、ハイブリッド・インバンド・オン・チャンネル（Ｈｙｂｒｉｄ  Ｉｎ−Ｂａｎｄ  Ｏｎ−Ｃｈａｎｎｅｌ：ＨＩＢＯＣ）システムと呼ばれ、ＦＭおよびＡＭラジオ帯域の両方において開発が進められている。
【０００３】
従来のアナログＦＭ受信機での著しいひずみを防ぐために、ＦＭ  ＨＩＢＯＣシステム内のデジタル信号は、例えば、アナログＦＭホスト信号の両側に１つずつの２つの側波帯において送信されている。また、ＨＩＢＯＣシステムの特徴として、デジタル波はアナログ波で放送されている内容をサイマル放送している。そして、デジタル波の電界強度が低くなったとき、すなわち弱電界になったとき、アナログ波の放送へと受信を自動的に切り替える。
【０００４】
ＨＩＢＯＣシステムは、全デジタルＤＡＢまでの過渡的なシステムであり、そのため、受信機側では、アナログ復調、デジタル復調が必要になり、復調回路をデジタル信号処理プロセッサ（ＤＳＰ）等で行った場合に回路規模が大きくなるという問題がある。
【０００５】
また、アナログ復調とデジタル復調の切り替え時に、その放送内容の時間的差、および音量差を生じる場合があり、その調整は、かなり困難であった。
【発明の開示】
【発明が解決しようとする課題】
【０００６】
本発明の第１の目的は、１つの放送帯域内にアナログステレオ放送とこれと同じ内容のディジタルステレオ放送とを含む放送波を受信する受信機の回路規模を小さくすることにある。
【０００７】
本発明の第２の目的は、ディジタル放送の再生からアナログ放送の再生への切り替えおよびその逆の切り替えの際の違和感を少なくすることにある。
【課題を解決するための手段】
【０００８】
本発明によれば、１つの放送帯域内にアナログステレオ放送と該アナログ放送と同一内容のディジタルステレオ放送とを含む放送波を受信するための受信機であって、受信したディジタルステレオ放送からステレオ信号を復調するディジタル放送復調部と、受信したアナログステレオ放送からモノラル信号を復調するアナログ放送復調部と、該ディジタル放送復調部が復調したステレオ信号および該アナログ放送復調部が復調したモノラル信号のいずれか一方を受信状態に応じて選択する選択部とを具備する受信機が提供される。
【０００９】
前述したように、弱電界ではアナログ波の放送へと受信を自動的に切り替えることになるが、弱電界ではステレオにしてもノイズが多くなるだけであるので、弱電界において選択されるアナログ放送復調部をモノラル再生のみとすることで、復調回路の規模を削減することができる。
【００１０】
前記選択部は、前記選択の切り替えの過程で滑らかに変化する混合比で前記ディジタル放送復調部が復調したステレオ信号および前記アナログ放送復調部が復調したモノラル信号を混合するように構成することが好ましい。
【００１１】
これにより、受信がディジタルステレオ放送からアナログモノラル放送に切り替わったとき及びその逆の切り替えの際の左右のセパレーションの急激な変化による不自然さをなくすことができる。
【００１２】
前記アナログステレオ放送および前記ディジタルステレオ放送はそれぞれタイムスタンプ及び／又は音量情報を有し、受信したアナログステレオ放送およびディジタルステレオ放送にそれぞれ含まれるタイムスタンプ及び／又は音量情報に基づき、前記ディジタル放送復調部が復調したステレオ信号および前記アナログ放送復調部が復調したモノラル信号の少なくとも一方を遅延される遅延部及び／又はその音量を調節する音量調節部をさらに具備することが好ましい。
【００１３】
これにより、受信の切り替え時に、放送内容に時間差や音量差があっても違和感なく切り替えることができる。
【発明を実施するための最良の形態】
【００１４】
図１は本発明の一実施例に係るＦＭ／ＡＭのＨＩＢＯＣ方式の放送を受信するための受信機の構成を示す。アンテナ１０において受信されたＦＭ波またはＡＭ波はそれぞれの受信部１２，１４においてＩＦ信号に変換された後、Ａ／Ｄ変換器１６でディジタル信号に変換される。ディジタル信号に変換されたＩＦ信号のうち、アナログ放送の部分についてはアナログ復調部１８においてモノラル信号（Ｌ＋Ｒ）として復調される。ディジタル放送の部分についてはディジタル復調部２０において復調され、ＩＢＯＣデコーダ２３においてＰＡＣ（Ｐｅｒｃｅｐｔｕａｌ  Ａｕｄｉｏ  Ｃｏｄｅｒ）復号が行なわれてステレオ信号（Ｌ，Ｒ）が復号される。ブレンド処理部２１では、出力切替部２４からの指示に従ってアナログ復調部１８からのモノラル信号またはＩＢＯＣデコーダ２３からのステレオ信号を選択する。選択されたモノラル信号またはステレオ信号は、ＤＡ変換器２６においてアナログ信号に変換され、オーディオ処理部２８においてオーディオ処理が施されてスピーカ３０を鳴動させる。
【００１５】
受信状況検知部２２はアナログ信号レベル、ＣＮ比またはディジタル誤り率またはこれらの組み合わせに基いて受信状態、すなわち弱電界であるか否かを判定する。出力切替部２４は、受信状況検知部２２が弱電界と判定するときは、後述するような手法でブレンド処理部２１に対してディジタル放送から再生したステレオ信号から、アナログ放送から再生したモノラル信号へ選択を切り替えさせる。アナログ復調部１８、ディジタル復調部２０、受信状況検知部２２、ＩＢＯＣデコーダ２３、ブレンド処理部２１および出力切替部２４は、例えばＤＳＰ（Ｄｉｇｉｔａｌ  Ｓｉｇｎａｌ  Ｐｒｏａｓｏｒ）とＤＳＰの動作を記述したソフトウェアプログラムにより実現される。
【００１６】
図２はブレンド処理部２１の詳細な構成を示す。ＩＢＯＣデコーダ２３からのＬ，Ｒ信号はそれぞれ増幅器４０，４４において増幅度α（０≦α≦１）で増幅され、それぞれ加算器４８，５０の一方の入力へ供給される。アナログ復調部１８からのＬ＋Ｒ信号は、増幅器４２，４６において増幅度１−αで増幅され、加算器４８，５０の他方の入力へ供給される。加算器４８の出力はＲ信号として、加算器５０の出力はＬ信号としてＤＡ変換器２６（図１）へ供給される。従って、αが０のとき、アナログ復調部１８において得られたモノラル信号が選択され、αが１のときディジタル復調部１８において得られたステレオ信号が選択され、０＜α＜１のとき、αの値に応じた混合比で両者がブレンドされる。
【００１７】
図３はαの値によるブレンド処理部２１の制御の一例を示す。この例において、αの値はアナログ信号レベル、ＣＮ値、またはビット誤り率ＢＥＲ或いはそれらの組み合わせにより定まり、例えばアナログ信号レベルが充分に高いときは１に設定され、所定値以下となると図３に示すようなアナログ信号レベルの低下とともに滑らかな曲線に従って低下して０に達する。受信状態が回復した場合にはこの逆の経過をたどって１に戻る。
【００１８】
図４はαの値によるブレンド処理部２１の制御の他の例を示す。アナログ信号レベル、ＣＮ値またはビット誤り率ＢＥＲ或いはそれらの組み合わせによりアナログ受信への切り替えが決まると、図３に示すようにαの値は時間とともに滑らかな曲線に従って低下して０に達する。その後、ディジタル受信への切り替えが決まると、αの値は時間とともに滑らかな曲線に従って上昇して１に達する。
【００１９】
図５は、アナログ放送とディジタル放送の時間のずれを修正するための構成の一例を示す。アナログ放送およびディジタル放送にはそれぞれタイムスタンプが挿入される。アナログ放送のタイムスタンプは例えばＦＭ文字多重放送において天気予報、交通情報などのディジタルデータを多重する場合と同様に、変調スペクトラム中の７６kHzのＬ−ＭＳＫ変調信号として挿入することができる。ディジタル放送のタイムスタンプは例えばＭＰＳ（Ｍａｉｎ  Ｐｒｏｇｒａｍ  Ｓｅｒｖｉｃｅ）のデータの１つとして挿入することができる。タイムスタンプ抽出部６０はこれらのタイムスタンプを抽出し、それに従って遅延部６２，６４の遅延量を制御することにより、アナログ放送とディジタル放送の時間のずれをなくすことができる。
【００２０】
図６は、アナログ放送とディジタル放送の音量の差を調整するための構成の一例を示す。タイムスタンプの挿入と同様にして、アナログ放送とディジタル放送に音量データが挿入される。音量データ抽出部６６はこの音量データを抽出し、それに基いて音量調整部６８，７０を制御することにより、アナログ放送とディジタル放送の音量の差をなくすことができる。尚、音量の調整方法として、タイムスタンプを利用して同じタイミング（所定時間長）で各放送の音量を測定して、その測定結果に基づき音量調整を行うことも可能である。
【図面の簡単な説明】
【００２１】
【図１】本発明の一実施例に係る受信機の構成を示すブロック図である。
【図２】ブレンド処理部２１の詳細な構成を示す図である。
【図３】ブレンド処理部２１の制御の一例を示す図である。
【図４】ブレンド処理部２１の制御の他の例を示す図である。
【図５】時間のずれの修正を可能にする構成の一例を示すブロック図である。
【図６】音量のずれの修正を可能にする構成の一例を示すブロック図である。
【図１】
2006115200.tif 000003
【図２】
2006115200.tif 000004
【図３】
2006115200.tif 000005
【図４】
2006115200.tif 000006
【図５】
2006115200.tif 000007
【図６】
2006115200.tif 000008